(57)【要約】【課題】掃除機本体とアタッチメントを接続する際、掃除機本体とアタッチメントの両方を支持装置から取り外す必要がある。            【解決手段】掃除機システムは、ハンドルを有する本体と、本体に取付けて使用するアタッチメントと、本体及びアタッチメントを支持する支持装置をを有し、本体を把持して支持装置に支持されたアタッチメント側接続口と本体側接続口を接続することで、本体にアタッチメントを接続できる。このため、使用者はアタッチメントに触れることなく、アタッチメントと本体を嵌合できる。【選択図】図１
2019187958.tif 000002
【特許請求の範囲】
【請求項１】
ハンドルを有する本体と、
前記本体に取付けて使用するアタッチメントと、
前記本体及び前記アタッチメントを支持する支持装置と、
を有し、
前記本体は前記アタッチメントを接続可能な本体側接続口を有し、
前記アタッチメントは前記本体側接続口に接続可能なアタッチメント側接続口を有し、
前記支持装置に前記アタッチメントが支持された状態で、
前記本体側接続口と前記アタッチメント側接続口を接続させる掃除機システム。
【請求項２】
前記アタッチメント側接続口は前記本体側接続口に挿入する方向に仮想軸を有し、
前記仮想軸が鉛直方向に対して傾斜した状態で、
アタッチメントが支持装置に支持される
請求項１に記載の掃除機システム。
【請求項３】
前記支持装置に前記アタッチメントが支持された状態で、
前記支持装置は、前記アタッチメントの水平方向および下方向への移動が規制される規制手段を備える 
請求項１または２のいずれか一項に記載の掃除機システム。
【請求項４】
前記アタッチメントは前記支持装置に取付けるための取付部を有し、
前記アタッチメントが前記支持装置に支持された状態で、
前記取付部は前記アタッチメントの下端部より上端部に近い位置に配置される請求項１から請求項３のいずれか１項に記載の掃除機システム。
【発明の詳細な説明】
【技術分野】
【０００１】
この発明は、掃除機と掃除機を支持するための支持装置に関する。
【背景技術】
【０００２】
特許文献１は、掃除機および支持装置を開示する。支持装置は、掃除機本体及び掃除機本体に取り付けるアタッチメントを支持する。アタッチメントはアタッチメント側の接続口を掃除機本体側の接続口に接続することで使用可能である。
【先行技術文献】
【特許文献】
【０００３】
【特許文献１】特開２０１６−１３７１６５号公報
【発明の概要】
【発明が解決しようとする課題】
【０００４】
しかしながら、特許文献１に記載の支持装置は、アタッチメント側の接続口を支持装置の凸部に挿入するようにして、アタッチメントを支持する。このため、掃除機本体とアタッチメントを接続する際、掃除機本体とアタッチメントの両方を支持装置から取り外す必要がある。また掃除機本体とアタッチメントの両方を把持する必要がある。このため、使い勝手が悪いという課題があった。
【０００５】
この発明は、上述の課題を解決するためになされた。この発明の目的は、支持装置に支持されたアタッチメントに容易に掃除機本体を接続することができる支持装置を提供することである。
【課題を解決するための手段】
【０００６】
この発明に係る掃除機システムは、
ハンドルを有する本体と、
前記本体に取付けて使用するアタッチメントと、
前記本体及び前記アタッチメントを支持する支持装置と、
を有し、
前記本体は前記アタッチメントを接続可能な本体側接続口を有し、
前記アタッチメントは前記本体側接続口に接続可能なアタッチメント側接続口を有し、前記支持装置に前記アタッチメントが支持された状態で、前記本体の前記本体側接続口と、前記アタッチメントの前記アタッチメント側接続口を接続させる掃除機システム
【発明の効果】
【０００７】
この発明によれば、使用者は本体を把持して支持装置に支持されたアタッチメント側接続口と本体側接続口を接続することで、本体にアタッチメントを接続できる。このため、使用者はアタッチメントに触れることなく、アタッチメントと本体を嵌合できる。このため、素早く、使い勝手がよく嵌合でできる。
【図面の簡単な説明】
【０００８】
【図１】実施の形態１における掃除機システムの斜視図である。
【図２】実施の形態１における掃除機システムの上面図である。
【図３】実施の形態１における掃除機システムの側面図である。
【図４】実施の形態１における掃除機の第１使用例を示す斜視図である。
【図５】実施の形態１における掃除機の第２使用例を示す側面図である。
【図６】実施の形態１における本体の側面図である。
【図７】実施の形態１における支持装置から本体を着脱している側面図である。
【図８】実施の形態１における支持装置から本体を着脱している側面図である。
【図９】実施の形態１における吸込具が支持装置の特定位置に配置された状態を示す側面図である。
【図１０】実施の形態１における支持装置に管体と吸込具とが支持された状態の側面図である。
【図１１】実施の形態１における支持装置に本体と管体とが支持された状態の側面図である。
【図１２】実施の形態１における支持装置に管体が支持された状態の側面図である。
【図１３】実施の形態１における支持装置に本体が支持された状態の側面図である。
【図１４】実施の形態１における掃除機の縦断面図である。
【図１５】実施の形態１における本体の縦断面図である。
【図１６】実施の形態１における管体の斜視図である。
【図１７】実施の形態１における管体の側面図である。
【図１８】実施の形態１における管体の縦断面図である。
【図１９】図１７のＨ−Ｈ線における断面図である。
【図２０】実施の形態１における支持装置にアタッチメントを取付けた状態の斜視図である。
【図２１】実施の形態１における支持装置にアタッチメントを取付けた状態の背面図の要部である。
【図２２】実施の形態１における支持装置に取付けられたアタッチメント（毛ブラシ）に本体を接続した側面図である。
【図２３】実施の形態１における支持装置に付けられたアタッチメント（ブロアーノズル）に本体を接続した側面図である。
【図２４】実施の形態１における支持装置にアタッチメントを取付けた状態の上面図である。
【図２５】図２４のＫ−Ｋ線における断面図である。
【図２６】図２１のＪ−Ｊ線における断面図である。
【図２７】実施の形態１における毛ブラシの斜視図である。
【図２８】実施の形態１における毛ブラシの分解図である。
【図２９】実施の形態１におけるブロアーノズルの斜視図である。
【図３０】実施の形態１におけるブロアーノズルの別の方向からの斜視図の要部である。
【図３１】実施の形態１における本体に毛ブラシを取付けた状態を示す側面図である。
【図３２】実施の形態１における本体にブロアーノズルを取付けた状態を示す側面図である。
【図３３】実施の形態１における本体にブロアーノズルを着脱する状態を示す側面図である。
【図３４】実施の形態１における保持体の側面図の要部である。
【図３５】実施の形態１における支持装置の上面図である。
【図３６】実施の形態１における基体の縦断面図の要部である。
【図３７】実施の形態１における掃除機システムの縦断面図である。
【図３８】実施の形態１における保持体の斜視図である。
【図３９】実施の形態１における保持体の正面図である。
【図４０】実施の形態１における保持体の縦断面図の要部である。
【図４１】実施の形態１における保持体の斜視図の要部である。
【図４２】実施の形態１における掃除機システムの縦断面図の要部である。
【図４３】図４２のＩ−Ｉ線における断面図の要部である。
【図４４】図４２のＮ−Ｎ線における断面図の要部である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。また、本発明は以下の実施の形態に限定されことなく、本発明の趣旨を逸脱しない範囲で種々変形することが可能である。以下の説明では、塵埃が混じった空気は、「含塵空気」と呼ばれる。塵埃が取り除かれた空気は、「清浄空気」と呼ばれる。また、一部の図においては、アタッチメントを省略している(図示していない)。
【００１０】
実施の形態１．
図１は実施の形態１における掃除機システムの斜視図である。図２は実施の形態１における掃除機システムの上面図である。図３は実施の形態１における掃除機システムの側面図である。
【００１１】
図１に示されるように、掃除機システムは、掃除機１と支持装置２とを備える。掃除システムの上下、前後、左右は、図1、図２に示す方向とする。
【００１２】
掃除機１は、掃除が行われる際に支持装置２から取り外される。掃除機１は、掃除が終了した後に進行方向を維持したまま支持装置２に取り付けられる。この際、掃除機１の前部が支持装置２に保持される。その結果、掃除機１は、後部を意匠面として配置される。掃除機１と掃除機システムとは、外観として左右方向に対称性を有する。
【００１３】
例えば、掃除機１は、本体３と管体４と吸込具５とアタッチメント２４を備える。
【００１４】
例えば、管体４は、棒状に形成される。管体４は、本体３から下方に伸びる。管体４の上端部は、本体３の後部に対して着脱自在に設けられる。吸込具５の後部かつ幅方向の中間部は、管体４の下端部に対して着脱自在に設けられる。
【００１５】
アタッチメント２４は例えば、吸込用アタッチメントとブロアー用アタッチメントである。吸込用アタッチメントは例えば毛ブラシ２５である。ブロアー用アタッチメントは例えば、ブロアーノズル２６である。なお、吸込用アタッチメントとブロアー用アタッチメントに共通する内容についてはアタッチメント２４としてまとめて記載する。
【００１６】
アタッチメント２４は支持装置２に対して着脱自在に設けられる。毛ブラシ２５の上端部は本体３の後部に対して着脱自在に設けられる。ブロアーノズル２６の上端部は後述する本体３の排気口２９に対して着脱自在に設けられる。
【００１７】
例えば、支持装置２は、居室の床面に置かれる。例えば、支持装置２は、掃除機１を充電する充電台である。支持体７の一部は、金属部材で形成される。例えば、支持装置２の一部は、鋼板で形成される。支持体７は、掃除機１よりも重い。例えば、支持装置２は、基体６と支持体７と保持体８とを備える。
【００１８】
基体６は、支持装置２の中で最も下方に配置される。例えば、基体６は、居室の壁際の床面に置かれる。例えば、支持体７は、柱状である。例えば、支持体７の下端部は、基体６に固定される。保持体８は、基体６より上方に配置される。例えば、保持体８は、基体６の直上に配置される。保持体８は、支持体７に支持される。保持体８は、支持体７の上端部に固定される。
【００１９】
掃除機１の着脱時に支持装置２が転倒しにくいように、基体６と支持体７と保持体８との重心は、低い位置に設定される。具体的には、基体６は、支持体７よりも重い。基体６は、保持体８よりも重い。基体６は、支持体７と保持体８とを合わせた重さよりも重くてもよい。換言すると、基体６の質量は、支持体７と保持体８とを合わせた質量より大きい。これにより、重心が低くなり、支持装置２および掃除機システムとして倒れにくい。
【００２０】
掃除機１が支持装置２に取り付けられる際、本体３および管体４の少なくとも一方は、保持体８に保持される。吸込具５は、支持装置２の基体６に支持される。この際、吸込具５の後端は、管体４と本体３より後方側に配置される。
【００２１】
掃除機１がスティック型の掃除機１として支持装置２から外される場合、図３に示されるように、使用者は、本体３を上方に持ち上げることなく本体３をＡ方向に移動させる。
【００２２】
なお、使用者は、本体３を上方に持ち上げることなく本体３をＢ方向に回転させることもある。本体３は、Ｂ方向に回転した直後はＡ方向に移動する。その結果、管体４は、被清掃面に対して斜めになる。このため、掃除機１は、速やかに清掃形態に移行する。
【００２３】
掃除機１がハンディ型の掃除機１として支持装置２から外される場合、使用者は、本体３をＣ方向に移動させる。この際、管体４は、本体３に引っ張られてＣ方向に移動する。このため、本体３がＣ方向に移動しても、管体４は保持体８に保持されたままである。この際、管体４と吸込具５とは、支持装置２から外れない。
【００２４】
なお、管体４が支持装置２に支持されていない場合、掃除機１は、ハンディ型掃除機として支持装置２に着脱し得る。例えば、使用者は、支持装置２に対して横方向に移動させることで本体３を着脱する。例えば、使用者は、支持装置２に対して上下方向に移動させることで本体３を着脱する。
【００２５】
また、管体４が支持装置２に支持されている場合、使用者は、管体４の上方から本体３を移動させる。その結果、本体３は、管体４に接続された状態で支持装置２に支持される。
【００２６】
掃除機１が支持装置２に支持されている場合、本体３の一部は、吸込具５の直上に配置される。このため、掃除機１と支持装置２とは、狭いスペースに設置され得る。
【００２７】
次に、図４を用いて、掃除機１の第１使用例を説明する。図４は実施の形態１における掃除機１の第１使用例を示す斜視図である。図４に示されるように、本体３は、外郭部９とハンドル１０と集塵部１１とを備える。
【００２８】
外郭部９は、掃除機１の意匠面の一部となる。図３および図４に示すように、ハンドル１０は、掃除機システムの前後方向を定める。ハンドル１０の上端部は、外郭部９よりも上方に設けられる。集塵部１１は、全体として円筒状に形成される。集塵部１１は、外郭部９の下方に設けられる。
【００２９】
掃除機１がスティック型掃除機として使用される際、使用者は、ハンドル１０の中間部を持つ。例えば、使用者は、管体４の長手方向が斜め方向となるようにして床面を掃除する。この際、管体４は、本体３より下側に配置される。
【００３０】
次に、図５を用いて、掃除機１の第２使用例を説明する。図５は実施の形態１における掃除機１の第２使用例を示す側面図である。図５に示されるように、使用者は、図５においては図示されない吸込具５が外された状態で掃除する。例えば、使用者は、管体４の長手方向を斜め上方向にして高所を掃除する。
【００３１】
次に、図６、図７、図８を用いて、掃除機１の第３使用例を説明する。図６は実施の形態１における本体３の側面図である。図７および図８は実施の形態１における支持装置２から本体３を着脱している側面図である。本体３は、図７、図８に示すように管体４から着脱すると図６に示されるように、掃除機１はハンディ型掃除機として使用される。使用者は、管体４と吸込具５とが外された状態で被清掃面を掃除する。この際、使用者は、ハンドル１０の前端部の側を持つ。
【００３２】
次に、図９を用いて、掃除機１を支持装置２に支持させる手順を説明する。図９は実施の形態１における吸込具５が特定位置に配置された状態を示す側面図である。なお、図９ではアタッチメント２４は省略（図示せず）している。例えば、吸込具５は基体６と緩嵌合した状態で特定位置に配置される。
【００３３】
使用者は、図４のように本体３を傾け、ハンドル１０を持って吸込具５を前後に動かす。この際、掃除機１は、吸込具５が本体３よりも前方となるように斜めに配置される。掃除の終了後、使用者は、掃除機１を清掃時の姿勢のまま前方に動かして吸込具５に支持装置２の特定位置に配置する。この際、吸込具５は、特殊な動作を行なわない。
【００３４】
図９に示されるように、吸込具５が特定位置に配置した直後において、本体３は、吸込具５よりも後方に配置される。使用者は、吸込具５が特定位置に配置された状態で本体３と管体４とをＥ方向に移動させる。Ｅ方向の動作は、掃除機１を前方に動かす一連の動作として行われる。Ｅ方向の動作は、使用者がハンドル１０を持った状態で吸込具５の回転軸を中心に弧を描くように移動させる動作である。このため、掃除機１は、持ち上げられることなく支持装置２に支持される。
【００３５】
次に、図１０から図１３を用いて、掃除機システムの変形例を説明する。図１０は実施の形態１における支持装置２に管体４と吸込具５とが支持された状態の側面図である。図１１は実施の形態１における支持装置２に本体３と管体４とが支持された状態の側面図である。図１２は実施の形態１における支持装置２に管体４が支持された状態の側面図である。図１３は実施の形態１における支持装置２に本体３が支持された状態の側面図である。なお、図１０から図１３ではアタッチメント２４は省略（図示せず）している。
【００３６】
図１０に示されるように、管体４と吸込具５とが接続された状態で、管体４は、保持体８に保持される。図１１に示されるように、本体３と管体４とが接続された状態で、管体４は、保持体８に保持される。図１２に示されるように、本体３と吸込具５とがない状態で、管体４は、保持体８に保持される。図１３に示されるように、管体４と吸込具５とがない状態で、本体３は、保持体８に保持される。
【００３７】
次に、図１４と図１５とを用いて、外郭部９とハンドル１０とを説明する。図１４は実施の形態１における掃除機１の縦断面図である。図１５は実施の形態１における本体３の縦断面図である。図１４と図１５とに示されるように、外郭部９は、ケース部１２とバッテリ部１３と接続管部１４と排気部１５とを備える。
【００３８】
ケース部１２は、全体として円筒状に形成される。ケース部１２は、電動送風機１６と制御部１７とを収納する。電動送風機１６は、集塵部１１の上方に設けられる。電動送風機１６は、吸気と排気とを行い得るように設けられる。制御部１７は、電動送風機１６の直上に設けられる。例えば、制御部１７は、電動送風機１６の動作を制御する。ケース部１２は、凸部１８を備える。凸部１８は、ケース部１２の前部に設けられる。
【００３９】
バッテリ部１３は、ハンドル１０の後端部の下方において外郭部９の後部に収納される。バッテリ部１３は、ケース部１２に隣接する。バッテリ部１３は、複数の二次電池を備える。当該複数の二次電池の電圧は、制御部１７に制御される。
【００４０】
接続管部１４と排気部１５は例えば、本体側接続口２７を有する。本体側接続口２７はアタッチメント２４を着脱自在に接続できる。本体側接続口２７は接続管部１４にのみ設けられていてもよい。なお、後述するが、接続管部１４に設けられる本体側接続口２７は吸込口２８であり、排気部１５に設けられる本体側接続口２７は排気口２９である。
【００４１】
接続管部１４は、集塵部１１に沿って配置される。接続管部１４の前側は、集塵部１１に隣接する。接続管部１４は、バッテリ部１３の延長線上に配置される。接続管部１４は、管体４が着脱可能に連結される中空管状の部材である。接続管部１４は、塵埃を吸い込むための吸込口２８を有する。吸込口２８は本体側接続口２７の一つである。吸込口２８は、接続管部１４の一端に形成された開口である。吸込口２８には管体４および毛ブラシ２５が着脱可能に挿入される。接続管部１４の内部には、吸込口２８を通過した含塵空気の気流を集塵部１１へ導く吸気風路が形成されている。
【００４２】
接続管部１４は、嵌合部１９を備える。嵌合部１９は、側面視において三角形状に形成される。嵌合部１９は、上方にいくにつれて接続管部１４の外側に突出する。
【００４３】
本体３の内部には排気風路が形成されている。排気風路は、集塵部１１及び電動送風機１６を通過した空気が本体３の外部に排出されるまでの風路である。
【００４４】
排気部１５は本実施の形態では複数設けられている。但し、排気部１５は一つであってもよい。本実施の形態では、第一の排気部１５ａと第二の排気部１５ｂを備える。
【００４５】
第二の排気部１５ｂは、ケース部１２におけるバッテリ部１３が収容される位置に形成されている。なお、この構成例では、第二の排気部１５ｂはケース部１２の両面にそれぞれ設けられている。すなわち、第二の排気部１５ｂは本体３の側面に配置されている。
【００４６】
第一の排気部１５ａは、第二の排気部１５ｂとは異なる位置に形成される。第一の排気部１５ａは、ハンドル１０の前端かつ下端に形成される。第一の排気部１５ａには、排気口２９が設けられている。排気口２９は電動送風機１６を通過した空気が本体３の外部に排出されるための開口である。排気口２９は吸込口２８と同方向に向けて開口している。
【００４７】
集塵部１１は、電動送風機１６が生成した吸引風により本体３に吸い込んだ含塵空気中の塵埃を捕集するためのものである。集塵部１１は、本体３に対し着脱可能に取り付けられている。集塵部１１の全体の形状は円柱状の外観を有する。本実施の形態に係る集塵部１１は、サイクロン部２２及びフィルタ部２３を有している。サイクロン部２２は、サイクロン分離装置である。サイクロン部２２は、電動送風機１６が生成した空気流により含塵空気を内部で旋回させて含塵空気からごみを分離する。フィルタ部２３は、サイクロン部２２では分離しきれなかった微細な塵埃を空気流中から漉し取るためのものである。
【００４８】
ハンドル１０は、本体３が図１４と図１５とにおいて図示されない支持装置２に支持された状態で上面視において視認可能に配置されるように設けられる。ハンドル１０は、本体３の前後方向にわたって形成される。例えば、ハンドル１０は、上端部から前方にわたって形成される。例えば、ハンドル１０は、上端部から後方にわたって形成される。例えば、ハンドル１０は、上端部から前後にわたって形成される。例えば、ハンドル１０は、上端部より前方では低い位置に形成される。例えば、ハンドル１０は上端部より後方では低い位置に形成される。例えば、ハンドル１０は、本体３の前後方向の中心から前後に延びるように形成される。
【００４９】
例えば、ハンドル１０は、外郭部９の前端部と後端部とにかけて連続的に形成される。例えば、ハンドル１０の前端部と後端部とは、平行に設けられる。例えば、ハンドル１０の中間部は、ケース部１２の上方においてハンドル１０の前端部と後端部とに対して湾曲して連結される。例えば、ハンドル１０の中間部は、上側に凸となるように形成される。例えば、ハンドル１０の後端部は、管体４の延長線上においてケース部１２の後部よりもケース部１２の後方側に設けられる。例えば、ハンドル１０の前端部は、ケース部１２の前部よりもケース部１２の前方側に設けられる。例えば、ハンドル１０の前端部は、ケース部１２の凸部１８に連結される。
【００５０】
好ましくは、ハンドル１０は、本体３の最上部に配置される。好ましくは、ハンドル１０とケース部１２との間には、側面視において空間２０が形成される。好ましくは、空間２０は、ハンドル１０の上端部の直下に形成される。空間２０は、使用者が上方からハンドル１０を持つ際に使用され、空間２０に手または指を挿入した状態でハンドル１０を把持してもよい。
【００５１】
ハンドル１０は、操作部２１を備える。操作部２１は、ハンドル１０の前部に設けられる。例えば、操作部２１は、複数の操作スイッチを備える。
【００５２】
図示されないが、本体３は、左側本体３側充電端子部３９Ｌと右側本体３側充電端子部３９Ｒとを備える。例えば、左側本体３側充電端子部３９Ｌと右側本体３側充電端子部３９Ｒとは、接続管部１４の前部に設けられる。例えば、左側本体３側充電端子部３９Ｌと右側本体３側充電端子部３９Ｒとは、集塵部１１よりも下方に設けられる。
【００５３】
使用者は、ハンドル１０を持った手で操作部２１を操作する。制御部１７は、バッテリ部１３からの電力を利用して操作部２１への操作内容に基づいて電動送風機１６の動作を制御する。
【００５４】
電動送風機１６が動作すると、吸引風が発生する。当該吸引風により、含塵空気は、吸込具５から吸い込まれる。その後、当該含塵空気は、管体４の内部を通過する。その後、当該含塵空気は、接続管部１４の内部を通過する。その後、当該含塵空気は、集塵部１１に流入する。この際、当該含塵空気の塵埃は、集塵部１１に収集される。その結果、清浄空気が生成される。当該清浄空気は、集塵部１１から流出する。その後、当該清浄空気は、電動送風機１６を通過する。その後、当該清浄空気は、排気部から本体３の外部に排出される。
【００５５】
次に、図１６から図１９を用いて、管体４を説明する。図１６は実施の形態１における管体４の斜視図である。図１７は実施の形態１における管体４の側面図である。図１８は実施の形態１における管体４の縦断面図である。図１９は図１７のＨ−Ｈ線における断面図である。
【００５６】
図１６に示されるように、管体４は、パイプ部３６とカバーパイプ３７とラッチ部３８と端子部３９と図示されないリード線とを備える。パイプ部３６は、管体４の主要部材である。パイプ部３６の上端部は、図１６においては図示されない接続管部１４の内側において接続管部１４に接続される。
【００５７】
パイプ部３６は、パイプ４０と嵌合部４１とを備える。パイプ４０は、パイプ部３６の主要部である。パイプ４０は、円筒状に形成される。パイプ４０の内側は、風路となる。パイプ４０の内部空間は、長手軸を有する。長手軸は、直線形状である。嵌合部４１は、パイプ部３６の前部かつ下部に配置される。嵌合部４１は、図１４においては図示されない吸込具５と嵌合し得るように設けられる。
【００５８】
カバーパイプ３７は、パイプ部３６の後部に結合される。カバーパイプ３７の外形は、円柱状に形成される。カバーパイプ３７がパイプ部３６に結合された状態において、パイプ部３６とカバーパイプ３７とを合わせた外形は、真直ぐな棒状となる。
【００５９】
ラッチ部３８は、管体４の前部かつ上部に配置される。ラッチ部３８は、パイプ部３６の外側に設けられる。例えば、ラッチ部３８は、カバーを介してパイプ部３６に固定される。例えば、ラッチ部３８は、パイプ部３６に直接固定される。ラッチ部３８の中央部は、パイプ部３６に支持される。ラッチ部３８は、図１６においては図示されない本体３と嵌合し得るように設けられる。具体的には、ラッチ部３８は、接続管部１４の下端部と管体４の上端部との接続を維持し得るように設けられる。ラッチ部３８は、ラッチ４２ａとカバーラッチ４２ｂとを備える。
【００６０】
図１８に示されるように、ラッチ４２ａは、ボタン部４３ａとラッチ先端部４３ｂとバネ４３ｃとを備える。ラッチ４２ａは、シーソーのように変位する。例えば、ラッチ４２ａは、第１位置から第２位置に変位する。例えば、ラッチ４２ａは、第２位置から第１位置に変位する。第１位置は、図１８においては図示されない本体３とパイプ部３６の上端部との接続を維持する位置である。第２位置は、本体３とパイプ部３６の上端部との接続を解放する位置である。
【００６１】
ラッチ４２ａは、ボタン部４３ａがパイプ部３６の端部から離れるようにバネ４３ｃからの力を受ける。このため、ラッチ４２ａにバネ４３ｃからの力以外の外力が作用しなければ、ラッチ４２ａは、第１位置に配置される。
【００６２】
ボタン部４３ａがパイプ部３６に近づくように押されると、ラッチ４２ａは、第１位置から第２位置に変位する。ラッチ先端部４３ｂが本体３の嵌合部１９に接触すると、ラッチ４２ａは、第１位置から変化する。
【００６３】
カバーラッチ４２ｂは、ラッチ先端部４３ｂを覆う。例えば、カバーラッチ４２ｂは、傾斜する。例えば、カバーラッチ４２ｂは、丸みを帯びた形状である。例えば、カバーラッチ４２ｂの幅は、パイプ部３６から離れるにつれて狭くなる。カバーラッチ４２ｂは、管体４が保持体８に保持される際のガイドとなる。
【００６４】
ラッチ４２ａが第２位置に配置された状態で、管体４と接続管部１４の嵌合部１９とが離れる方向に移動すると、ラッチ先端部４３ｂは、接続管部１４の嵌合部１９との嵌合から解放される。ラッチ４２ａが第１位置に配置されると、ラッチ先端部４３ｂは、接続管部１４の嵌合部１９と嵌合する。この際、接続管部１４の嵌合部１９の凸部１８は、パイプ部３６が接続管部１４から抜けることを抑制する。さらに、ラッチ先端部４３ｂが接続管部１４の嵌合部１９から離れると、ラッチ４２ａは、バネ４３ｃからの力により第１位置に戻る。
【００６５】
管体４が本体３に挿入される際、接続管部１４の嵌合部１９は、ラッチ先端部４３ｂが接触する。この状態からさらに管体４が本体３の側に移動すると、ラッチ４２ａは、第１位置から変化する。この状態からさらに管体４が本体３の側に移動すると、本体３と管体４とは、接続される。この際、ラッチ４２ａは、第１位置に戻る。このように、本体３と管体４との接続は、ボタン部４３ａの操作を要することなく行われる。
【００６６】
図１９に示されるように、パイプ部３６は、左側凹部４４ａと右側凹部４４ｂとを備える。例えば、左側凹部４４ａと右側凹部４４ｂとは、パイプ４０の前部に設けられる。例えば、左側凹部４４ａと右側凹部４４ｂとは、ラッチ部３８の後方に設けられる。例えば、左側凹部４４ａと右側凹部４４ｂとは、縦長の窪みである。
【００６７】
例えば、左側凹部４４ａは、パイプ部３６の表面のうち左方向を向く表面に形成される。右側凹部４４ｂは、パイプ部３６の表面のうち右方向を向く表面に形成される。これに対し、ラッチ部３８は、パイプ部３６の表面のうち前方向を向く表面に設けられる。管体４を上から見ると、ラッチ部３８は、左側凹部４４ａと右側凹部４４ｂとの間にラッチ部３８が配置される。
【００６８】
左側凹部４４ａと右側凹部４４ｂとは、同等の高さに配置される。例えば、左側凹部４４ａと右側凹部４４ｂとは、ラッチ４２ａとカバーラッチ４２ｂと同等の高さに配置される。左側凹部４４ａの最小幅と右側凹部４４ｂの最小幅とは、カバーラッチ４２ｂの最大幅より小さい。
【００６９】
図１７に示されるように、管体４は、左側第１規制部４５ａと右側第１規制部４５ｂと左側第２規制部４６ａと右側第２規制部４６ｂとを備える。なお、左側第１規制部４５ａと左側第２規制部４６ａとは、図１７の奥側に配置される。このため、図１７において、左側第１規制部４５ａと左側第２規制部４６ａとは、図示されない。
【００７０】
例えば、左側第１規制部４５ａと右側第１規制部４５ｂと左側第２規制部４６ａと右側第２規制部４６ｂとは、パイプ部３６の上端部の近傍に設けられる。例えば、左側第１規制部４５ａと右側第１規制部４５ｂと左側第２規制部４６ａと右側第２規制部４６ｂとは、ラッチ部３８の近傍に設けられる。
【００７１】
左側第１規制部４５ａは、左側凹部４４ａの上端部に配置される。右側第１規制部４５ｂは、右側凹部４４ｂの上端部に配置される。左側第１規制部４５ａと右側第１規制部４５ｂとは、同等の高さに配置される。なお、左側凹部４４ａは、図１７の奥側に配置される。このため、図１７において、左側凹部４４ａは、図示されない。
【００７２】
左側第２規制部４６ａは、左側凹部４４ａの下端部に配置される。右側第２規制部４６ｂは、右側凹部４４ｂの下端部に配置される。左側第２規制部４６ａと右側第２規制部４６ｂとは、同等の高さに配置される。
【００７３】
端子部３９は、管体４の後部かつ上部に配置される。端子部３９は、図１７においては図示されない吸込具５に通電するための中継部品である。端子部３９は、図１７においては図示されないリード線と接続される。端子部３９の一部とリード線とはパイプ部３６とカバーパイプ３７との間に配置される。
【００７４】
次に図２０から図２６を用いて、支持装置２にアタッチメント２４が支持された状態について説明する。図２０は実施の形態１における支持装置２にアタッチメント２４を取付けた状態の斜視図である。図２１は実施の形態１における支持装置２にアタッチメント２４を取付けた状態の背面図の要部である。図２２は実施の形態１における支持装置２に取付けられたアタッチメント２４（毛ブラシ２５）に本体３を接続した側面図である。図２３は実施の形態１における支持装置２に付けられたアタッチメント２４（ブロアーノズル２５）に本体３を接続した側面図である。図２４は実施の形態１における支持装置２にアタッチメント２４を取付けた状態の上面図である。図２５は図２４のＫ−Ｋ線における断面図である。図２６は図２１のＪ−Ｊ線における断面図である。
【００７５】
図２０に示すように、アタッチメント２４はアタッチメント側接続口４７とアタッチメント外郭部１００を備える。
【００７６】
アタッチメント側接続口４７は中空の筒状部である。アタッチメント側接続口４７はアタッチメント２４の一端に設けられる接続口である。図２２および図２３に示すように、
アタッチメント側接続口４７は本体側接続口２７に接続できる。また、着脱自在に接続できる。なお、アタッチメント側接続口４７は本体側接続口２７に接続された状態では視認できない。例えば、図２２および図２３に示すような側面視においては視認できない。図２５に示すように、アタッチメント側接続口４７は接続口内壁４７ａを備える。接続口内壁４７ａはアタッチメント側接続口４７の内壁である。アタッチメント側接続口４７が本体側接続口２７に接続されると、接続口内壁４７ａの内側は内部風路として機能する。
【００７７】
図７、図８に示すように、本体３を管体４から外す。その後、使用者はハンドル１０を持ち、本体３を移動させることで、支持装置２に支持されたアタッチメント２４に本体側接続口２７を接続することができる（図２２、図２３）。支持装置２は、転倒しにくいように、基体６と支持体７と保持体８との重心が、低い位置に設定されている。使用者は本体３を把持して支持装置２に支持されたアタッチメント２４のアタッチメント側接続口４７と、本体側接続口２７とを接続することで、本体３にアタッチメント２４を接続できる。そのため、使用者はアタッチメント２４に触れることなく、アタッチメント２４と本体３を素早く、使い勝手がよく接続できる。
【００７８】
図２１と図２５に一点鎖線にて示すようにアタッチメント２４は仮想軸Ｘ(仮想軸Ｘ１、仮想軸Ｘ２)を備える。仮想軸Ｘは例えば、アタッチメント側接続口４７を本体側接続口２７に着脱する方向に対して平行な軸である。仮想軸Ｘは例えば、本体側接続口２７とアタッチメント側接続口４７を接続した状態における吸気方向または排気方向に平行な軸である。
【００７９】
仮想軸Ｘは例えば、アタッチメント側接続口４７の中心軸に一致する。仮想軸Ｘは例えば、着脱方向に平行かつ、アタッチメント側接続口４７の接続口内壁４７ａの中心を通る軸である。中心とは例えば、接続口内壁４７ａが円形の場合、仮想軸Ｘは中心軸と同意である。また、例えば長方形形状の場合は、長手方向の中間点および短手方向の中間点の交差する点である。また、複雑な形状であれば、特定の長手方向の中間点と、長手方向に垂直な方向の中間点の交差する点である。少なくとも、仮想軸Ｘはアタッチメント側接続口４７の接続口内壁４７ａの内側に配置される。
【００８０】
支持装置２は仮想軸Ｙを備える。好ましくは支持装置２の支持体７に仮想軸Ｙを備える。仮想軸Ｙは例えば、鉛直方向に伸びる。仮想軸Ｙは例えば、鉛直方向に平行である。仮想軸Ｙは例えば、支持体７の断面の図心を通る軸とする。図心は断面の形状により変化するが、支持体７の図心が支持体７の断面図の内部にあればどこの部分の断面図であってもよい。支持体７の仮想軸Ｙは、接続された保持体８内も同様の位置にある（図２１）。
【００８１】
アタッチメント外郭部１００はアタッチメント２４のアタッチメント側接続口４７以外の部分である。アタッチメント２４が本体３に接続された状態において、アタッチメント側接続口４７は本体側接続口２７に覆われる。この状態で、外観にさらされているのがアタッチメント外郭部１００である。アタッチメント外郭部１００には風路形成部４８と取付部４９と支持部５２を備える。
【００８２】
風路形成部４８は中空の部材である。風路形成部４８の内側は内部風路として機能する。風路形成部４８の内側と接続口内壁４７ａは連通している。
【００８３】
取付部４９はアタッチメント２４を支持装置２に取付けるためのものである。本実施の形態では風路形成部４８と取付部４９は離れた位置に配置される。取付部４９はアタッチメント側接続口４７に近い位置に設けられる。例えば、支持装置２に取付けられた状態においては、取付部４９はアタッチメントの２４の下端より上端に近い位置に配置される。取付部４９は仮想軸Ｘから離間する方向に突出している。取付部４９は仮想軸Ｘから離れた位置に配置されている。取付部４９の先端、すなわち取付部４９の仮想軸Ｘから離れた位置は、仮想軸Ｘの方向、および取付部４９の突出する方向に対して垂直な方向に広がっている。
【００８４】
支持部５２は風路形成部４８と取付部４９の間に設けられる。支持部５２は風路形成部４８から突出する。支持部５２は取付部４９を支持する。
【００８５】
取付部４９は大部５０と小部５１を有する。大部５０は大きく、長い部分である。小部５１は小さく、細い部分である。大部５０は小部５１より大きい。例えば、支持装置２への挿入方向に対して垂直な方向に対して大部５０は長く、小部５１は小さい。大部５０は小部５１より先端側に配置される。例えば、大部５０は小部５１より、アタッチメント側接続口４７から離れた位置に配置される。例えば、大部５０は小部５１より、仮想軸Ｘから離れた位置に配置される。
【００８６】
次に前述した図２１および図２７から図３０を用いて、アタッチメント２４について説明する。図２７は実施の形態１における毛ブラシ２５の斜視図である。図２８は実施の形態１における毛ブラシ２５の分解図である。図２９は実施の形態１におけるブロアーノズル２６の斜視図である。図３０は実施の形態１におけるブロアーノズル２６の別の方向からの斜視図の要部である。
【００８７】
上述したとおり、アタッチメント２４は毛ブラシ２５とブロアーノズル２６を備える。毛ブラシ２５は毛ブラシ側接続口７８、毛ブラシ接続口内壁７８ａ、毛ブラシ風路形成部７９、毛ブラシ取付部８０、毛ブラシ支持部８３を備える。ブロアーノズル２６は、ノズル側接続口９１、ノズル接続口内壁９１ａ、ノズル風路形成部９２、ノズル取付部９３、ノズル支持部９６を備える。毛ブラシ側接続口７８およびノズル側接続口９１はアタッチメント側接続口４７である。毛ブラシ接続口内壁７８ａおよびノズル接続口内壁９１ａはアタッチメント２４の接続口内壁４７ａである。毛ブラシ風路形成部７９およびノズル風路形成部９２はアタッチメント２４の風路形成部４８である。毛ブラシ取付部８０およびノズル取付部９３はアタッチメント２４の取付部４９である。毛ブラシ支持部８３およびノズル支持部９６はアタッチメント２４の支持部５２である。
【００８８】
支持部５２は少なくとも複数の板状部材からなる。複数の板状部材は例えば、第一の板５３と第二の板５４を備える。第一の板５３と第二の板５４は少なくとも接する。また、互いに交わっていてもよい。
【００８９】
第一の板５３と第二の板５４は風路形成部４８から突出する方向から視たとき、第一の板５３と第二の板５４は例えば、直行する。例えばT字状に直行する。例えば交わる。例えば十字状に交わる。
【００９０】
小部５１は1つ以上の板状部材からなる。小部５１は支持部５２に支持される。
【００９１】
小部５１または支持部５２は第三の板５６を有する。第三の板５６は板状部材である。大部５０は小部５１と第三の板５６によって支持される。小部５１と第三の板５６は少なくとも接する。また、互いに交わっていてもよい。
【００９２】
小部５１と第三の板５６は風路形成部４８から突出する方向から視たとき、例えば、直行する。例えばT字状に直行する。例えば交わる。例えば十字状に交わる。
【００９３】
上述したとおり、大部５０と小部５１は２つ以上の板状部材によって支持される。また、支持部５２自身も接する２つ以上の板状部材である。このため、大部５０、小部５１、支持部５２は取付け時に力が加わっても破損しにくい強度を有する。
【００９４】
次に図２７および図２８用いて毛ブラシ２５について説明する。
毛ブラシ２５は吸込用アタッチメントである。毛ブラシ２５は吸込風を利用する。毛ブラシ２５は毛ブラシ吸込口８４を備える。毛ブラシ吸込口８４は塵埃を吸込む開口である。毛ブラシ２５は先端に複数の毛束７５を備える。毛束７５は毛ブラシ吸込口８４の周囲に配置される。毛束７５は例えば複数の毛束７５である。毛ブラシ２５は例えば、刷毛としての機能を有し、被清掃面および被清掃面上の塵埃をこする。つまり吸引と掃き掃除を同時に行う。被清掃面上の塵埃はこすられることで、被清掃面との密着力が低下する。これにより塵埃を吸引されやすくする。
【００９５】
毛ブラシ２５は毛ブラシ側接続口７８とラッチ７６とバネ７７を備える。毛ブラシ側接続口７８はアタッチメント側接続口４７である。毛ブラシ側接続口７８は吸込口２８に差し込むようにして接続する。毛ブラシ２５のラッチ７６とバネ７７は管体４のラッチ４２ａとバネ４３ｃと同様の機能を有する。すなわち、毛ブラシ２５のラッチ７６とバネ７７により、吸込口２８や管体４との結合状態を保持するとともに、この結合を使用者の操作により容易に解除できる。
【００９６】
毛ブラシ側接続口７８は中空の円筒形状を呈する。毛ブラシ側接続口７８は少なくとも一部が円筒形状を呈する。毛ブラシ側接続口７８は中心軸を有する。また、毛ブラシ２５接続口７８は毛ブラシ接続口内壁７８ａを備える。毛ブラシ接続口内壁７８ａはアタッチメント２４の接続口内壁４７ａの一つである。毛ブラシ接続口内壁７８ａは毛ブラシ接続口７８の内壁である。例えば、毛ブラシ側接続口７８は毛ブラシ接続口内壁７８ａの中心軸を有する。毛ブラシ２５は仮想軸Ｘ１を有する。仮想軸Ｘ１はアタッチメントの仮想軸Ｘの一つである。仮想軸Ｘ１は例えば、毛ブラシ２５の中心軸に平行である。仮想軸Ｘ１は例えば毛ブラシ２５の中心軸に一致する。仮想軸Ｘ１は例えば、毛ブラシ側接続口７８の内部における吸引方向に平行な軸である。
【００９７】
毛ブラシ２５には毛ブラシ取付部８０を備える。毛ブラシ取付部８０は毛ブラシ２５を支持装置２に取付けるためのものである。毛ブラシ取付部８０は毛ブラシ吸込口８４より毛ブラシ側接続口７８に近い位置に配置される。毛ブラシ取付部８０はラッチ７６の反対側に設けられる。すなわち、被清掃面を清掃する際に、ラッチ７６より毛ブラシ取付部８０の方が被清掃面に近い位置に配置される。なお、毛ブラシ取付部８０の位置は本実施の形態に限定されない。
【００９８】
次に図２９および図３０を用いてブロアーノズル２６について説明する。ブロアーノズル２６はブロアー用アタッチメントである。ブロアーノズル２６は排気風を利用して、被清掃面の塵埃を吹飛ばすためのアタッチメント２４である。ブロアーノズル２６は中空管状を呈する。ブロアーノズル２６は細長い形状である。
【００９９】
ブロアーノズル２６は上端側にノズル側接続口９１とラッチ８９を備え、下端側には吹出口９０を備える。ノズル側接続口９１はアタッチメント側接続口４７である。ノズル側接続口９１は排気口２９に差し込むようにして接続する。吹出口９０はノズル側接続口９１から流入した排気風を本体３の外へ吹出すためのものである。ブロアーノズル２６はノズル側接続口９１から吹出口９０にかけて、先細りした形状である。ラッチ８９は、排気口２９とノズル側接続口９１との結合状態を保持するとともに、この結合を使用者の操作により容易に解除できるようにするものである。ブロアーノズル２６はノズル取付部９３を備える。ノズル取付部９３はブロアーノズル２６を支持装置２に取付けるためのものである。ノズル取付部９３は吹出口９０よりノズル側接続口９１に近い位置に配置される。
【０１００】
ブロアーノズル２６は仮想軸Ｘ２を有する。仮想軸Ｘ２はアタッチメントの仮想軸Ｘの一つである。仮想軸Ｘ２は例えば、ブロアーノズル２６の長手軸である。仮想軸Ｘ２は例えば排気口２９とノズル側接続口９１との着脱方向に対して平行な軸である。仮想軸Ｘ２は例えば、ブロアーの吹出方向に平行な軸である。仮想軸Ｘ２は例えば、吹出方向に垂直な断面において、仮想軸Ｘ２および重心は接続口内壁４７ａより内側に配置される。
【０１０１】
次に図３１から図３３を用いて本体３にアタッチメント２４を取付けた状態について説明する。図３１は実施の形態１における本体３に毛ブラシ２５を取付けた状態を示す側面図である。図３２は実施の形態１における本体３にブロアーノズル２６を取付けた状態を示す側面図である。図３３は実施の形態１における本体３にブロアーノズル２６を着脱する状態を示す側面図である。
【０１０２】
図３１から図３３に示すように、本体３にアタッチメント２４を取付けた状態で、取付部４９は好ましくは、前側または後ろ側に配置される。すなわち、図３１から図３３における側面視、および図３１から図３３と反対方向の側面視においても、取付部４９は視認可能である。このため、対称性に優れる。
【０１０３】
図３１に示すように、毛ブラシ２５は本体３の吸込口２８に接続して使用する。毛ブラシ２５を本体３に接続して水平面を清掃する場合には、本体３は図４に類似した姿勢となる。すなわち、本体３の前部が後部より上方に配置される。また、毛ブラシ取付部８０が後部側に配置され、ラッチ８９が前部側に配置される。
【０１０４】
図３２、図３３に示すように、ブロアーノズル２６は本体３に対して上方に移動することで接続できる。ノズル側接続口９１を排気口２９に差し込むと、ラッチ８９が排気口２９の縁部に掛かり、排気口２９とブロアーノズル２６との結合状態が保持される。使用者がラッチ８９を押すと、排気口２９とブロアーノズル２６との結合状態が解除される。排気口２９とブロアーノズル２６との結合が解除された状態で、ブロアーノズル２６を本体３から離すように移動させると、本体３からブロアーノズル２６を取り外せる。取り外す方向は下方向、換言すると、取り付ける方向と反対方向である。
【０１０５】
ブロアーノズル２６を排気口２９に取り付けた状態で電動送風機１６が駆動すると、排気風が排気口２９からブロアーノズル２６内に入る。そして、排気風は吹出口９０から吹出される。使用者はハンドル１０を持ち、吹出口９０を被清掃面に向けることで、塵埃等を吹き飛ばすことができる。
【０１０６】
また上述した図１５に示すように、排気口２９には、シャッター部３０が取り付けられている。シャッター部３０は板状の部材で、複数の孔があけられた格子状を呈する。シャッター部３０は、排気口２９を開閉可能に取り付けられている。シャッター部３０は、その一側で回動軸３１を介して、排気口２９の縁部に取り付けられている。そして、シャッター部３０は、排気口２９を閉じた位置と、回動軸３１を中心に外郭部９の内側へと回って排気口２９を開いた位置との間で移動可能である。
【０１０７】
シャッター部３０は排気口２９の開口面積を調整する。シャッター部３０が開いた位置では排気口２９の開口面積が広く、空気抵抗が小さい。一方シャッター部３０が閉じた状態では複数の孔から排気される。複数の孔の総開口面積は、シャッター部３０が開いた状態での開口面積より小さい。このため、シャッター部３０が閉じた状態では空気抵抗が大きい。
【０１０８】
ブロアーノズル２６を排気口２９に着脱する際には、ブロアーノズル２６は、排気口２９に対し垂直な方向に抜き差しされる。シャッター部３０の回動軸３１は、排気口２９の開口面と平行である。したがって、回動軸３１は、排気口２９へのブロアーノズル２６の着脱方向に対して垂直である。
【０１０９】
シャッター部３０は、例えばバネ等により排気口２９を閉じるように付勢されている。したがって、図１５に示すように、排気口２９にブロアーノズル２６が取り付けられていない場合には、シャッター部３０は排気口２９を閉じている。
【０１１０】
ブロアーノズル２６を排気口２９へ挿入すると、シャッター部３０は、ブロアーノズル２６に押されて回動軸３１を中心に外郭部９の内側へと回動する。そして、ブロアーノズル２６を排気口２９に取り付けた状態では、シャッター部３０は排気口２９を開き、本体３の前述した排気風路とブロアーノズル２６の内部とが完全に連通する。
【０１１１】
このように、排気口２９にブロアーノズル２６が取り付けられていない場合には、排気口２９はシャッター部３０により閉じられている。したがって、排気口２９からの排気量がシャッター部３０により抑制される。換言すると、ブロアーノズル２６を取り付けることにより、排気口２９からの排気量が増加する。このため、吸引により、清掃する際に、排気口２９からの排気が強いことにより、被清掃面の塵埃が吹き飛ばされることがない。
【０１１２】
次に図３４と図３５を用いて、支持装置２の被取付部５７について説明する。図３４は実施の形態１における保持体８の側面図の要部である。図３５は実施の形態１における支持装置２の上面図である。
【０１１３】
図３４は保持体８の最上部である。支持装置２はアタッチメント２４の被取付部５７を備える。本実施の形態では、被取付部５７は保持体８に設けられる。被取付部５７は例えば、支持体７の延長上に設けられる。被取付部５７は本体３の吸込口２８より高い位置に配置される。被取付部５７は開口を有する。被取付部５７は例えば、「凸」の字を上下反転したような開口を呈する。被取付部５７の板厚は周囲の板厚より厚い。これにより、支持装置２に対するアタッチメント２４の着脱に対しての強度を上げることができる。また、被取付部５７の縁に丸みを持たせても、薄肉にならず、強度、使用者の切創防止、取付部４９の傷つき防止の観点で優れる。被取付部５７は被清掃面に対して、略垂直に開口している。このため、図３５に示すように、上面視にて被取付部５７の開口は視認できない。
【０１１４】
次にこれまで説明した図を用いて、アタッチメント２４と支持装置２についてさらに詳細に説明する。
【０１１５】
図２１および図２５に示すように、アタッチメント２４は支持装置２に対して傾斜して支持されている。例えば、アタッチメント２４の仮想軸Ｘは鉛直方向に対して傾斜している。例えば、アタッチメント２４の仮想軸Ｘと支持装置２との水平方向の距離は上方に向かうにつれて離れるよう支持装置２にアタッチメント２４が傾斜して支持される。
【０１１６】
また、アタッチメント側接続口４７と支持装置２との水平方向の間隔はアタッチメント側接続口４７の下方より上方の方が広い。より具体的には、同一面におけるアタッチメント側接続口４７と支持装置２との水平方向の間隔はアタッチメント側接続口４７の下方より上方の方が広い。これにより、支持装置２に支持されたアタッチメント２４に本体３を接近させ、アタッチメント側接続口４７と本体側接続口２７を接続する際に、本体３が支持装置２に接触しにくく、容易に接続できる。なお、仮想軸Ｘは例えば、鉛直方向に対して０．５°〜１０°の範囲で傾斜する。
【０１１７】
図２４に示すように支持装置２にアタッチメント２４が取付けられた状態で、上面視にてアタッチメント２４は支持装置２の外周より内側に配置される。換言すると、下側から視た場合にはアタッチメント２４は視認できない。これにより、アタッチメント２４を支持装置２に取り付けた場合でも、設置に必要な床面積が増えることはない。
【０１１８】
図３４において、被取付部５７の形状を示す。被取付部５７は複数の形状で構成された１つの開口である。例えば、被取付部５７の開口は異なる大きさの四角形からなる。被取付部５７は挿入位置５８と規制位置５９を備える。被取付部５７のうち大きい角形は挿入位置５８、小さい角形は規制位置５９である。挿入位置５８はアタッチメント２４の取付部４９を挿入可能にする位置の開口である。つまり、挿入位置５８は支持装置２に対して取付部４９の挿入と取外しができる開口である。規制位置５９は支持装置２がアタッチメント２４を支持する位置の開口である。つまりアタッチメント２４が支持装置に支持された状態ではアタッチメント２４は規制位置５９に配置される。また規制位置５９はアタッチメント２４が水平方向に移動することを規制する位置である。
【０１１９】
アタッチメント２４の取付部４９は被取付部５７に挿入した状態で挿入位置５８と規制位置５９とを移動可能である。例えば、挿入方向と垂直な方向に移動することで挿入位置５８と規制位置５９とを移動可能である。本実施の形態では、移動方向は上下方向である。また、挿入位置５８は規制位置５９の上方に配置される。
【０１２０】
アタッチメント２４は支持装置２に支持された状態を維持する。また、取付部４９の下側は被取付部５７に支持される。つまり、アタッチメント２４は下方向への移動を規制された状態である。
【０１２１】
前述したとおり、大部５０は小部５１より大きい。例えば、アタッチメント２４が支持装置２に支持された状態で、前後方向および鉛直方向に、大部５０は長く、小部５１は小さい。本実施の形態では、アタッチメント２４が支持装置２に支持された状態で、前後方向に大部５０は長く、小部５１は小さい。大部５０および小部５１は挿入位置５８より小さい。つまり、大部５０および小部５１は挿入位置５８に対して挿入可能である。一方、規制位置５９は大部５０より小さく、小部５１より大きい。つまり、支持装置２にアタッチメント２４が支持された状態では水平方向に挿入も取り外しも不可能である。このため、取付部４９が挿入位置５８から規制位置５９に移動することで、アタッチメント２４の水平方向への移動が規制される。アタッチメント２４を奥まで挿入すると、アタッチメント２４を挿入した状態で、所定の方向へ移動可能である。所定の方向とは例えば、下方向である。
【０１２２】
取付部４９はアタッチメント側接続口４７から離れる位置に配置される。また、上述したとおり、仮想軸Ｘは接続口内壁４７ａより内側に配置される。一方アタッチメント２４の重心は例えば、仮想軸Ｘ上または仮想軸Ｘ近傍に配置される。また、重心は例えば、アタッチメント２４全体の内壁の内側に配置される。また、重心は例えば長手方向の中心に近い位置に配置される。つまり、仮想軸Ｘと重心との距離より、仮想軸Ｘと取付部４９との距離の方が離れている。
【０１２３】
また、仮に取付部４９の移動を規制するものがなければ、アタッチメント２４は取付部４９と被取付部５７の接触部を起点に、接触部の下方に重心が配置されるよう回転する。
しかしながら、アタッチメント２４の側面が支持装置２に対して接触することで、水平方向への移動が規制されて、静止する。このように重力により、取付部４９と被取付部５７の接触位置の下方に重心が配置されようと移動する。このためアタッチメント２４は傾斜する。
【０１２４】
上述したとおり、アタッチメント２４が支持された状態では支持装置２の水平方向への移動は規制される。しかしながら、アタッチメント２４の仮想軸Ｘが鉛直方向に配置された場合にはわずかながら隙間を有する。つまり、アタッチメント２４が傾くことができる程度の隙間を有する。これにより着脱がスムーズに行える。
【０１２５】
また、上述したとおり、挿入方向への移動と、挿入方向に対して直角に移動する２回の移動によって、アタッチメント２４は支持装置２に支持される。しかしながら、挿入位置５８に対して、規制位置５９は下方に配置される。すなわち、取付部４９を挿入位置５８に挿入後、使用者が手を離せば、重力により、取付け部は規制位置５９に移動する。すなわち、使用者は挿入時において、１方向への移動のみでも支持装置２にアタッチメント２４支持させることができる。換言すると、使用者の手による１方向への移動で、挿入可能であった方向が、移動が規制される方向へと変化する。
【０１２６】
保持体８は隔壁部６０を備える。隔壁部６０は被取付部５７の近傍に設けられる。隔壁部６０は被取付部５７の開口より支持体７の中心に配置される。隔壁部６０は例えば、被取付け開口から塵埃や異物が支持体７内に進入することを防ぐ。取付部４９の被取付部５７への挿入時および取付部４９が支持された状態において、取付部４９は隔壁部６０に接触してもよい。
【０１２７】
次に図３６と図３７を用いて支持装置２について説明する。図３６は実施の形態１における基体６の縦断面図の要部である。図３７は実施の形態１における掃除機システムの縦断面図である。
【０１２８】
図３６に示されるように、基体６は、制御部６２と板金部材６３とを備える。  例えば、制御部６２は、図３６においては図示されないバッテリ部１３の二次電池の充電を制御する機能を備える。例えば、制御部６２は、外部からの交流電力を直流電力に変換する機能を備える。
【０１２９】
板金部材６３は、おもりとしての機能を備える。板金部材６３は、制御部６２の燃焼による燃え広がりを防ぐ機能を備える。板金部材６３は、制御部６２を保護する機能を備える。また、板金部材６３は、基体６と支持体７とを強固に固定する機能を備える。例えば、板金部材６３は、難燃部材で形成される。例えば、板金部材６３は、炎にさらされる間は燃えるが、炎から離されれば消火して延焼しにくい、自己消火性を有する。例えば、板金部材６３は、１．６ｍｍ以上の厚みの鋼板である。好ましくは、板金部材６３は、２．０ｍｍ以上の厚みの鋼板である。例えば、板金部材６３は、ＳＧＨＣ材の鋼板である。板金部材６３は、例えば、制御部１７の上方を覆う。
【０１３０】
図３７に示されるように、支持体７は、本体３等の重量物を支持する際に折れないように設けられる。例えば、支持体７の外観の少なくとも一部は、樹脂部材よりも強度がある部材で形成される。例えば、支持体７の外観の少なくとも一部は、金属部材で形成される。当該金属部材は、鉛直方向に延びる。例えば、当該金属部材は、支持体７の下端から上端まで延びる。例えば、当該金属部材は、板金部材６３に強固に固定される。
【０１３１】
次に、図３８から図４４を用いて、保持体８を説明する。図３８は実施の形態１における保持体の斜視図である。図３９は実施の形態１における保持体８の正面図である。図４０は実施の形態１における保持体８の縦断面図の要部である。図４１は実施の形態１における保持体８の斜視図の要部である。図４２は実施の形態１における掃除機システムの縦断面図の要部である。図４３は図４２のＩ−Ｉ線における断面図の要部である。図４４は図４２のＮ−Ｎ線における断面図の要部である。
【０１３２】
図３８、図３９に示されるように、保持体８は、保持ケース６４と管体保持部６５と本体保持部６６と解除部６７とを備える。
【０１３３】
保持ケース６４は、図３９においては図示されない支持体７の上部に固定される。保持ケース６４の一部は、上方から見て凹形状である。保持ケース６４の凹形状の部分において、空間が存在する。当該空間は、上方と下方とに開口する。当該空間は、上下一直線状に後方に開口する。
【０１３４】
保持ケース６４は、図示されない内壁６４ａと内壁６４ｂと内壁６４ｃとを備える。内壁６４ａと内壁６４ｂと内壁６４ｃとは、保持ケース６４の凹形状の一部を形成する。内壁６４ａは、上記凹形状の部分を形成する内壁のうち、内壁６４ｂと内壁６４ｃとの間に配置された奥側の内壁である。
【０１３５】
図示されないが、保持ケース６４は、複数の軸支持部を備える。例えば、複数の軸支持部の各々は、穴である。例えば、複数の軸支持部の各々の一部は、円弧状である。例えば、複数の軸支持部の各々の一部は、切り欠かれる。
【０１３６】
管体保持部６５は、保持ケース６４に支持される。管体保持部６５は、図３９においては図示されない掃除機１を保持する。例えば、管体保持部６５は、掃除機１を両側から挟んで保持する。具体的には、管体保持部６５は、管体４の上端部を両側から挟んで保持する。管体保持部６５は、本体３を両側から挟むこともある。
【０１３７】
本体保持部６６は、保持ケース６４に支持される。本体保持部６６は、管体保持部６５よりも上方に配置される。本体保持部６６は、本体３を保持する。例えば、本体保持部６６は、接続管部１４を保持する。具体的には、本体保持部６６は、接続管部１４を両側から挟んで保持する。本体保持部６６は、本体３の一部を挟んで保持することもある。本体保持部６６は、本体３を充電し得る。
【０１３８】
解除部６７は、保持ケース６４の内壁６４ａから突出する。例えば、解除部６７において、内壁６４ａから離れた上端部と下端部とは、傾斜していてもよい。また、下端部は、内壁６４ａから略垂直に突出していてもよい。換言すると上端部のみ傾斜していてもよい。例えば、解除部６７において、内壁６４ａから離れた上端部と下端部とは、丸みを帯びる。図３９においては図示されないが、解除部６７は、ラッチ部３８のボタン部４３ａよりも上方、または同等の高さに配置される。解除部６７の幅は、ボタン部４３ａの幅より小さい。
【０１３９】
図４１に示されるように、例えば、管体保持部６５は、左側保持部６８ａと右側保持部６８ｂとバネ６９とを備える。例えば、左側保持部６８ａと右側保持部６８ｂとは、互いに対向するように配置される。例えば、左側保持部６８ａと右側保持部６８ｂとは、対称に配置される。
【０１４０】
左側保持部６８ａは、左側軸部７０ａを備える。左側軸部７０ａは、左側保持部６８ａの前部に設けられる。左側軸部７０ａは、左側保持部６８ａの上端部と下端部とから突出する。左側軸部７０ａは、図４１においては図示されない保持ケース６４の軸支持部に回転自在に支持される。この際の左側保持部６８ａの回転方向は、掃除機システムの上下方向に対して直交方向である。当該回転方向は、床面に対して水平方向である。
【０１４１】
右側保持部６８ｂは、右側軸部７０ｂを備える。右側軸部７０ｂは、右側保持部６８ｂの前部に設けられる。右側軸部７０ｂは、右側保持部６８ｂの上端部と下端部とから突出する。右側軸部７０ｂは、図４１においては図示されない保持ケース６４の軸支持部に回転自在に支持される。この際の右側保持部６８ｂの回転方向は、掃除機システムの上下方向に対して直交方向である。当該回転方向は、床面に対して水平方向である。
【０１４２】
例えば、バネ６９は、引張りバネである。左側軸部７０ａおよび右側軸部７０ｂよりも後方に配置される。バネ６９は、左側保持部６８ａと右側保持部６８ｂとに接続される。バネ６９は、初張力により左側保持部６８ａと右側保持部６８ｂとを互いの側に引き付ける。バネ６９は、自らの力以外の外力が左側保持部６８ａと右側保持部６８ｂとに作用しない際に左側保持部６８ａと右側保持部６８ｂとを最も接近させる。
【０１４３】
図４１に示されるように、本体保持部６６は、左側保持部７１ａと右側保持部７１ｂとバネ７２と支持装置側充電端子部３９とを備える。
【０１４４】
左側保持部７１ａは、左側保持部７１ａの一部と右側保持部７１ｂとの一部とは、上面視において三角状に形成される。左側保持部７１ａと右側保持部７１ｂとは、同じ高さに配置される。左側保持部７１ａと右側保持部７１ｂとは、対称に配置される。
【０１４５】
左側保持部７１ａは、左側軸部７３ａを備える。左側軸部７３ａは、左側保持部７１ａの前部に設けられる。左側軸部７３ａは、円筒状である。左側軸部７３ａは、左側保持部７１ａの上端部と下端部とから突出する。左側軸部７３ａは、図４１においては図示されない保持ケース６４の軸支持部に回転自在に支持される。この際の左側保持部７１ａの回転方向は、掃除機システムの上下方向軸に対して直交方向である。当該回転方向は、床面に対して水平方向である。
【０１４６】
右側保持部７１ｂは、右側軸部７３ｂを備える。右側軸部７３ｂは、右側保持部７１ｂの前部に設けられる。右側軸部７３ｂは、円筒状である。右側軸部７３ｂは、右側保持部７１ｂの上端部と下端部とから突出する。右側軸部７３ｂは、図４１においては図示されない保持ケース６４の軸支持部に回転自在に支持される。この際の右側保持部７１ｂの回転方向は、掃除機システムの上下方向軸に対して直交方向である。当該回転方向は、床面に対して水平方向である。
【０１４７】
例えば、バネ７２は、引張りバネである。左側軸部７３ａおよび右側軸部７３ｂよりも後方に配置される。バネ７２は、左側保持部７１ａと右側保持部７１ｂとに接続される。バネ７２は、初張力により左側保持部７１ａと右側保持部７１ｂとを互いの側に引き付ける。バネ７２は、自らの力以外の外力が左側保持部７１ａと右側保持部７１ｂとに作用しない際に左側保持部７１ａと右側保持部７１ｂとを最も接近させる。
【０１４８】
図４１に示されるように、本体保持部６６は、左側支持装置側充電端子部７４ａと、右側支持装置側充電端子部７４ｂとを備える。左側支持装置側充電端子部７４ａは、左側保持部７１ａの上部に設けられた傾斜部の下方に設けられる。右側支持装置側充電端子部７４ｂは、右側保持部７１ｂの上部に設けられた傾斜部の下方に設けられる。
【０１４９】
左側支持装置側充電端子部７４ａと右側支持装置側充電端子部７４ｂとは、三角状の金属板で形成される。左側支持装置側充電端子部７４ａと右側支持装置側充電端子部７４ｂとは、先細りとなるように形成される。左側支持装置側充電端子部７４ａと右側支持装置側充電端子部７４ｂとは、互いの左右方向の距離が近くなるほど奥行幅が小さくなるように形成される。左側支持装置側充電端子部７４ａと右側支持装置側充電端子部７４ｂとは、同じ高さに配置される。左側支持装置側充電端子部７４ａと右側支持装置側充電端子部７４ｂとは、対称に配置される。
【０１５０】
図４４において、管体４が左側保持部６８ａと右側保持部６８ｂとに接触する前において、左側保持部６８ａの先端部と右側保持部６８ｂの先端部との間隔は、ラッチ部３８の幅よりも短い。左側保持部６８ａの先端部と右側保持部６８ｂの先端部との間隔は、左側凹部４４ａと右側凹部４４ｂとの距離よりも幅よりも短い。
【０１５１】
ラッチ部３８が左側保持部６８ａと右側保持部６８ｂとに接触した後にラッチ部３８が左側保持部６８ａと右側保持部６８ｂとに押し付けられるように移動すると、左側保持部６８ａと右側保持部６８ｂとは、互いの間隔が広げる方向に変位する。
【０１５２】
ラッチ部３８がさらに左側保持部６８ａと右側保持部６８ｂとに押し付けられるように移動すると、左側保持部６８ａの先端部と右側保持部６８ｂの先端部とは、左側凹部４４ａと右側凹部４４ｂとにそれぞれ収納される。この際、左側保持部６８ａと右側保持部６８ｂとは、互いの間隔が狭まる方向に変位する。その結果、管体４は、左側保持部６８ａと右側保持部６８ｂとに挟まれた状態で保持体８に保持される。
【０１５３】
左側保持部６８ａの先端部と右側保持部６８ｂの先端部とが左側凹部４４ａと右側凹部４４ｂとにそれぞれ収納された状態において、左側保持部６８ａと右側保持部６８ｂとは、バネ６９の力により左側凹部４４ａと右側凹部４４ｂとを押し付ける。使用者による外力等のバネ６９以外の外力が作用しない限り、左側保持部６８ａと右側保持部６８ｂとは、バネ６９の力により左側凹部４４ａと右側凹部４４ｂとを押し付け続ける。その結果、管体４は、保持体８に保持された状態で上下方向を向く。
【０１５４】
パイプ部３６が保持体８から離れる方向に移動すると、左側保持部６８ａと右側保持部６８ｂとは、互いの間隔が広げる方向に変位する。例えば、パイプ部３６が後方に移動すると、左側保持部６８ａと右側保持部６８ｂとは、互いの間隔が広げる方向に変位する。パイプ部３６が左側保持部６８ａと右側保持部６８ｂとから外れると、左側保持部６８ａと右側保持部６８ｂとは、バネ６９の力により最も接近する位置に配置される。
【０１５５】
なお、詳細は図示されないが、管体４が保持体８に保持された状態において、左側第１規制部４５ａの下面は、左側保持部６８ａの上方に配置される。右側第１規制部４５ｂの下面は、右側保持部６８ｂの上方に配置される。左側第２規制部４６ａの上面は、左側保持部６８ａの下方に配置される。右側第２規制部４６ｂの上面は、右側保持部６８ｂの下方に配置される。
【０１５６】
管体４は、左側第１規制部４５ａと右側第１規制部４５ｂとが左側保持部６８ａと右側保持部６８ｂとにそれぞれ接触することで支持される。好ましくは、管体４は、左側第１規制部４５ａと右側第１規制部４５ｂとが左側保持部６８ａの上端部と右側保持部６８ｂの上端部とにそれぞれ接触することで支持される。
【０１５７】
管体４が保持体８に保持された状態において管体４が上方に移動すると、左側第２規制部４６ａと右側第２規制部４６ｂとは、左側保持部６８ａと右側保持部６８ｂとにそれぞれ接触する。好ましくは、左側第２規制部４６ａと右側第２規制部４６ｂとは、左側保持部６８ａの下端部と右側保持部６８ｂの下端部とにそれぞれ接触する。その結果、管体４は、上方への移動を規制される。
【０１５８】
また、吸込具５と管体４との接続の有無に関わらず、左側第１規制部４５ａと右側第１規制部４５ｂとが左側保持部６８ａと右側保持部６８ｂとにそれぞれ支持される。その結果、管体４は、姿勢と位置とを変えずに支持装置２に支持される。
【０１５９】
吸込具５が管体４と本体３と接続されている状態で支持装置２に支持される場合には、本体３と保持体８により下方向への移動が規制される（図３）。また、本体３が取り外され、管体４と吸込具５が支持されている状態では、吸込具５と基体６により、下方への移動が規制される（図１０）。また、管体４のみが支持装置２に支持されている状態では、管体４と保持体８により下方向への移動が規制される（図１２）。
【０１６０】
本体３が支持装置２から外された状態において、左側支持装置側充電端子部７４ａと右側支持装置側充電端子部７４ｂとの間隔は、左側本体３側充電端子部３９Ｌと右側本体３側充電端子部３９Ｒとの間隔よりも短い。本体３が支持装置２に近づくと、左側本体３側充電端子部３９Ｌと右側本体３側充電端子部３９Ｒとは、左側支持装置側充電端子部７４ａと右側支持装置側充電端子部７４ｂとにそれぞれ接触する。その後、左側本体３側充電端子部３９Ｌと右側本体３側充電端子部３９Ｒとが左側支持装置側充電端子部７４ａと右側支持装置側充電端子部７４ｂとにそれぞれ押し付けられるように移動すると、左側支持装置側充電端子部７４ａと右側支持装置側充電端子部７４ｂとは、互いの間隔が広がる方向に変位する。この際、左側保持部７１ａと右側保持部７１ｂとは、互いの間隔が広がる方向に変位する。本体３が支持装置２に支持されると、本体保持部６６は、左側本体３側充電端子部３９Ｌと右側本体３側充電端子部３９Ｒとを挟むように保持する。その結果、本体３は、支持装置２に支持された状態で安定する。本体３が支持装置２から外されると、左側支持装置側充電端子部７４ａと右側支持装置側充電端子部７４ｂとは、バネ７２の力により最も接近する位置に配置される。
【０１６１】
なお、左側保持部７１ａの一部と右側保持部７１ｂの一部とは、上面視において三角状となっている。さらに、左側保持部７１ａの上部と右側保持部７１ｂの上部とにおいては、傾斜部が形成されている。このため、左側本体３側充電端子部３９Ｌと右側本体３側充電端子部３９Ｒとは、上方および後方のいずれから左側保持部７１ａと右側保持部７１ｂとにそれぞれ接触しても、左側保持部７１ａと右側保持部７１ｂとの間隔は広がる。また、本体３が上方および後方のいずれの方向に移動しても、本体３は、支持装置２から外れる。
【０１６２】
本体３が支持装置２に支持された状態において、左側本体３側充電端子部３９Ｌと右側本体３側充電端子部３９Ｒとは、左側支持装置側充電端子部７４ａと右側支持装置側充電端子部７４ｂとに接触する。その結果、商用電源等の外部の交流電源に接続された支持装置２から本体３への給電経路がつながる。この際、基体６は、内蔵した電力変換回路により交流電力を直流電力に変換して左側支持装置側充電端子部７４ａと右側支持装置側充電端子部７４ｂとに供給する。左側本体３側充電端子部３９Ｌと右側本体３側充電端子部３９Ｒとは、本体３の内部に配設される図示されないリード線を介してバッテリに直流電力を供給する。
【０１６３】
管体４が上方に移動すると、ボタン部４３ａは、解除部６７に押されながら上方に移動する。その結果、ラッチ４２ａは、第２位置に配置される。この際、ラッチ部３８は、接続管部１４の嵌合部１９から外れる。
【０１６４】
ラッチ４２ａが第２位置に配置された後、さらに管体４が上方に移動すると、左側第２規制部４６ａと右側第２規制部４６ｂとは、左側保持部６８ａと右側保持部６８ｂとにそれぞれ接触する。その結果、管体４は、上方への移動を規制される。さらに本体３が上方に移動すると、本体３は、管体４から外れる。
【０１６５】
管体４が支持装置２に支持された状態において、本体３を上方から支持装置２に近づけると、ラッチ先端部４３ｂは、接続管部１４の嵌合部１９に接触する。その後、本体３を上方から支持装置２にさらに近づけると、本体３と管体４とが接続される。さらに、本体３と支持装置２とが接続される。
【０１６６】
なお、管体４と保持体８との着脱時においては、ラッチ部３８に対し、バネ４３ｃからの力以外の外力は作用しない。この際、ラッチ４２ａは、第１位置に配置された状態を維持する。
【０１６７】
以上で説明した実施の形態１によれば、アタッチメント２４は支持装置２に支持される。例えば、支持装置２はアタッチメント２４のアタッチメント外郭部１００を支持する。例えば、上面視にてアタッチメント側接続口４７が視認可能な状態である。例えば、アタッチメント側接続口４７の内側、例えば接続口内壁４７ａ、が視認可能な状態である。好ましくは、上面視にてアタッチメント側接続口４７の内側、例えば接続口内壁４７ａ、が視認可能な状態である。例えば、アタッチメント側接続口４７が上方を向いた状態である。換言すると、アタッチメント２４は本体３と接続可能な状態で、支持装置２に支持される。換言すると、アタッチメント側接続口４７は本体側接続口２７と接続可能な状態で、支持装置２に支持される。なお、アタッチメント側接続口４７が上方を向いた状態とは鉛直方向に開口した状態のみに限定されない。例えば、アタッチメント側接続口４７が鉛直方向から-４５°〜４５°までの範囲で傾いた状態を含む。例えば、仮想軸Ｘが鉛直方向から-４５°〜４５°までの範囲で傾いた状態を含む。その結果、使用者は本体３を把持して支持装置２に支持されたアタッチメント２４のアタッチメント側接続口４７を本体側接続口２７と接続することで、本体３にアタッチメント２４を接続できる。そのため、使用者はアタッチメント２４に触れることなく、アタッチメント２４と本体３を素早く、使い勝手がよく接続できる。
【０１６８】
また、取付部４９は支持装置２に支持された状態で、アタッチメント２４の下端部より上端部に近い位置に配置される。また、取付部４９は毛ブラシ吸込口８４または吹出口９０より、アタッチメント側接続口４７に近い位置に配置される。これによりアタッチメント側接続口４７に力が加わった際に取付部４９が近い位置に配置されているため、てこの原理により、取付部４９や被取付部５７に力が加わりにくい。このため、アタッチメント２４や支持装置２が破損しにくい。
【０１６９】
また、アタッチメント２４は仮想軸Ｘを備える。仮想軸Ｘは例えば、アタッチメント側接続口４７と本体側接続口２７との着脱方向に対して平行な軸である。また、仮想軸Ｘは例えば吸込口２８における吸気方向、または排気口２９における排気方向に平行な軸である。仮想軸Ｘは鉛直方向に対して傾斜した状態で、アタッチメント２４が支持装置２に支持される。また、支持装置は仮想軸Ｙを備える。仮想軸Ｙは例えば鉛直方向に平行である。仮想軸Ｙは例えば支持体７の内側に配置される。アタッチメント２４の仮想軸Ｘと支持装置２の支持体７の仮想軸Ｙの距離は上方に向かうにつれて離れるよう、支持装置２にアタッチメント２４が傾斜して支持される。例えば、仮想軸Ｘが鉛直方向に平行な状態で支持装置２に支持されている場合、使用者は本体３を支持装置２に沿わせてアタッチメント２４に接続することになる。この場合、本体３と支持装置２が接触すると、転倒の恐れや、双方に傷がつく場合がある。このため、使用者は慎重に本体３を移動させる必要がある。一方で、上述したように支持装置２の支持体７の仮想軸Ｙに対してアタッチメント２４の仮想軸Ｘが傾斜した場合には、本体３と支持装置２との距離が、仮想軸Ｘが鉛直方向に平行な場合に対して離れる。このため、本体３が支持装置２に接触しにくく、使用者は容易に本体３をアタッチメント２４に接続することができる。
【０１７０】
また、アタッチメント側接続口４７と支持装置２との水平方向の間隔が、アタッチメント側接続口４７における下方より上方の方が広くなるよう、支持装置２にアタッチメント２４が傾斜して支持される。なお、アタッチメント２４の構造により、上方側の方が下方より支持装置２との間隔が近くなっていてもよい。しかしながらアタッチメント側接続口４７全体として、上方側に向かうにつれて、支持装置２との間隔が広くなる。また、アタッチメント側接続口４７の接続口内壁４７ａまたは内部風路と、支持装置２との水平方向の最短距離が、アタッチメント側接続口４７における下方より上方の方が離れるよう、支持装置２にアタッチメント２４が傾斜して支持される。これにより、本体３を支持装置２に支持されたアタッチメント２４に接続する際、本体３が支持装置２に接触しにくい。このため、使用者は容易に本体３をアタッチメント２４に接続することができる。
【０１７１】
また、支持装置２にアタッチメント２４が支持された状態で、支持装置２は、アタッチメント２４の水平方向および下方向への移動が規制される規制手段を備える。これにより、使用者が支持装置２に支持されたアタッチメント２４に本体３を接続する場合に、アタッチメント２４が下方向に移動することがない。また、本体側接続口２７とアタッチメント側接続口４７とが完全に接続される前に、水平方向に力が加わった際に、アタッチメント２４が落下することがない。このため、スムーズに接続することができ、使い勝手がよい。また、支持装置２に水平方向に力が加わった際に、アタッチメント２４が落下することがない。このため、安定性が高い。
【０１７２】
また、支持装置２にアタッチメント２４が取付けられた状態で、上面視にてアタッチメント２４は支持装置２の外周より内側に配置される。換言すると、下側から視た場合にはアタッチメント２４は視認できない。これにより、アタッチメント２４を支持装置２に取り付けた場合でも、取付けに必要な床面積が増えることはない。また、使用者が誤って、アタッチメント２４に触れにくいため、安全性が高い。また、取付けるための下方向への力が強い場合にも、支持装置２が転倒することがない。
【０１７３】
また、保持体８は、管体４が本体３から取り外された状態で管体４を保持している際に本体３が下方向に移動することで、本体３が支持装置２に支持され、かつ本体３と管体４とが接続される。つまり、管体４およびアタッチメント２４が支持装置２に支持された状態かつ、本体３が支持装置２から取り外された状態において、本体３は、管体４にもアタッチメント２４にも択一的に接続可能である。これにより、例えば、使用者が本体３を用いて清掃を行った後に、アタッチメント２４に接続した場合は、アタッチメント２４を接続した状態での清掃に移行できる。また、管体４に接続した場合、管体４を接続した状態での清掃に移行できる。さらに、管体４に接続し、かつ支持装置２に設置した状態にすれば、掃除機１が支持装置２に支持された状態となる。すなわち、アタッチメント２４や管体４に接触することなく、複数の行為に容易に移行できる。このため使い勝手がよい。
【０１７４】
また、アタッチメント２４は支持装置２に取付けるための取付部４９を備える。支持装置２は取付部４９の少なくとも一部が挿入される被取付部５７を有する。被取付部５７は例えば開口である。取付部４９は例えば、突出部である。好ましくは、被取付部５７の開口は被清掃面に対して略垂直に設けられる。略垂直とは例えば、８０〜１００°の範囲である。好ましくは８５〜９５°の範囲である。さらに好ましくは８７〜９３°の範囲である。アタッチメント２４を水平方向に移動することでアタッチメント２４の取付部４９は被取付部５７に挿入される。これにより、支持装置２はアタッチメント２４を取付けるために突出した構造にする必要がない。このため、外観を損ねることがない。また、使用者や衣服が誤って被取付部５７に触れにくく、安全性、および支持装置２の転倒しにくさに優れる。なお、アタッチメント２４を水平方向に移動した後、下方向に移動することで、支持装置２に取付けることができる。
【０１７５】
また、支持装置２はアタッチメント２４を取付け可能な被取付部５７を複数有していてもよい。この際、アタッチメント２４はいずれの被取付部５７に対しても取付け可能である。好ましくは、複数の被取付部５７は類似した形状を呈する。さらに好ましくは、複数の被取付部５７は同等の形状を呈する。これにより、使用者はアタッチメント２４を支持装置２の複数の被取付部５７に対して、使用しやすい位置に配置できるため、使い勝手がよい。また、アタッチメント２４は複数備えていてもよい。この場合、各々のアタッチメント２４はいずれの支持装置２の被取付部５７に対しても取付け可能である。使用者はアタッチメント２４を支持装置２の複数の被取付部５７に対して、使用しやすい位置に配置できるため、使い勝手がよい。
【０１７６】
また、本体３が支持装置２に支持された状態で、吸込口２８より支持装置２の被取付部５７が高い位置に配置される。また、アタッチメント２４と本体３が支持装置２に支持された状態で、アタッチメント側接続口４７が吸込口２８より高い位置に配置される。本体３は管体４と接続された状態で支持装置２に支持されていてもよい。また、このとき管体４は鉛直方向に伸びるよう配置されていてもよい。例えば、毛ブラシ側接続口７８は吸込口２８より高い位置に配置される。一般的にアタッチメント２４が高い位置に配置されることで、使用者は手にとりやすい。例えば、基体６等の低い位置にアタッチメント２４が支持されていた場合にはしゃがんで手にとる必要がある。しかし、上述した高さであれば、容易に手にとることができる。また、ハンドル１０を把持した状態で、支持装置２に支持されたアタッチメント２４に本体３を接続することも容易である。さらに、支持装置２に支持された本体３のハンドル１０の高さより、支持装置２に支持された毛ブラシ２５の毛ブラシ側接続口７８に吸込口２８が接続されるときのハンドル１０の高さの方が高い。換言すると、使用者が立ったまま支持装置２に本体３を設置できれば、支持装置２に支持されたアタッチメント２４に本体３を接続することも立ったまま行える。このため、容易に毛ブラシ２５に本体３を接続でき、使い勝手がよい。
【０１７７】
被取付部５７は取付部４９に挿入される開口を備える。開口は、取付部４９が挿入可能な挿入位置５８と、取付部４９が被取付部５７に挿入された状態で、水平方向の移動が規制される規制位置５９とを備える。被取付部５７が取付部４９に挿入された状態で、取付部４９の被取付部５７に対する挿入方向に対して垂直な方向に、取付部４９は挿入位置５８と規制位置５９との間を移動可能である。これにより、取付が容易であり、アタッチメント２４が支持装置２に支持された状態では水平方向への移動が規制され、いわゆるロックされた状態となり、アタッチメント２４が落下しにくい。このため使い勝手がよい。
【０１７８】
取付部４９は大部５０と、大部５０より小さい小部５１とを備える。また、大部５０より小部５１の方が風路形成部４８に近い位置に配置される。また、仮想軸Ｘまたは接続口内壁４７ａに対して、大部５０は小部５１より離れて配置される。大部５０および小部５１は規制位置５９における開口より小さい。大部５０は規制位置５９における開口より大きい。これにより、取付部４９が規制位置５９に配置された場合にアタッチメント２４が落下しにくい。このため使い勝手がよい。
【０１７９】
また、本体３に毛ブラシ２５を接続した状態で、毛ブラシ取付部８０は本体３の後部側に配置される。これにより、床面や机などの被清掃面を清掃する際に毛ブラシ取付部８０が視界に入りにくく、外観を損ねることがない。
【０１８０】
また、ハンドル１０を把持、および操作し、本体３に接続された管体４に、支持装置２に支持された吸引用アタッチメントを接続してもよい。これにより、高い場所も吸引することができる。
【０１８１】
また、支持装置２の複数の被取付部５７は対称性を有する。例えば、複数の被取付部５７は上面視にて左右対称の位置に配置される。また、例えば、複数の被取付部５７は正面視にて左右対称の位置に配置される。好ましくは複数の被取付部５７は同等の形状を呈する。複数の被取付部５７とは例えば、二つの被取付部５７である。これにより、外観を損ねることがない。
【０１８２】
また、本体３と管体４が接続し、かつ管体４が支持装置２に支持された状態において、本体３を上方に移動すると、本体３は支持装置２からも管体４からも外れてもよい。また、これにより、使用者が管体４を手で持たずとも管体４から本体３を外すことができる。また、その後に本体３を支持装置２に支持されたアタッチメント２４に接続することもできる。つまり、使用者は管体４もアタッチメント２４も把持することなく、管体４に接続された本体３をアタッチメント２４に接続することができる。これにより、使い勝手がよい。
【０１８３】
上述したとおり、風路形成部４８と取付部４９は離れた位置に配置される。風路形成部４８と取付部４９の間には支持部５２が設けられる。好ましくは、支持部５２は風路形成部４８から突出する。但し、風路形成部４８に取付けられた部材から支持部５２が突出してもよい。また、風路形成部４８から突出した突出部に取付部４９が設けられていてもよい。支持部５２は取付部４９を支持する。支持部５２は少なくとも複数の板状部材からなる。複数の板状部材は例えば、第一の板５３と第二の板５４を備える。第一の板５３と第二の板５４は少なくとも接する。これにより、小部５１は２つ以上の板状部材によって支持される。また、支持部５２自身も接する２つ以上の板状部材である。このため、小部５１、支持部５２は取付け時に力が加わっても破損しにくい。
【０１８４】
小部５１は1つ以上の板状部材からなる。小部５１は支持部５２に支持される。小部５１または支持部５２は第三の板５６を有する。第三の板５６は板状部材である。大部５０は小部５１と第三の板５６によって支持される。小部５１と第三の板５６は少なくとも接する。また、互いに交わっていてもよい。これにより、大部５０は小部５１と第三の板５６によって支持される。このため、大部５０は取付け時に力が加わっても破損しにくい。
【０１８５】
なお、支持装置２で本体３を支持してもよい。例えば、支持装置２で集塵部１１またはハンドル１０を支持してもよい。例えば、集塵部１１の上端部と同等高さ、もしくは上端部よりも上側で本体３を保持してもよい。また、例えば、バッテリ部１３の下端部より上側で本体３を保持してもよい。好ましくは、支持装置２で集塵部１１の底部またはハンドル１０の前部を支持すればよい。ハンドル１０の前部が底部を有する場合、当該底部を支持すればよい。例えば、支持体７の後部または上部に支持部５２を有し、当該支持部５２で本体３を保持すればよい。換言すると、支持体７の真上に支持部５２を有し、本体３を保持してもよい。これにより、管体４に加えて本体３の少なくとも一部を支持することで、掃除機システムの安定性を高めることができる。管体４を取り外された本体３のみを支持装置２で支持することができ、掃除機システムの汎用性を広げることができる。また、高い位置を保持することで、掃除機１が支持装置２から外れにくくなる。また、バッテリ等の重量物より、上側を把持することにより、支持装置２から外れにくくなる。その結果、掃除機システム使い勝手を良くすることができる。
【０１８６】
また、支持装置２は、集塵部１１の底部を支持してもよい。例えば、本体３と管体４とが接続した状態で支持装置２に接続された場合、集塵部１１は、保持体８からわずかに浮いた状態であってもよい。例えば、本体３が管体４との接続を解放された状態では、支持装置２は、本体３の重心の真下を支持してもよい。換言すると、本体３が管体４との接続が解放された状態では、集塵部１１の底部が支持装置２に支持されていてもよい。好ましくは保持体８の上面で支持する。但し、本体３の重心の真下を直接的に支持していなくてもよい。例えば、円弧上に支持し、円弧の内側に上面視における重心があればよい。例えば、３点以上で支持し、各々の点を結んだ角形の内側に上面視における重心があればよい。これにより、重心が、支持された領域内に配置されるため、転倒しない。また、本体３を支持装置２に設置した際の安定性を高めることができ、使い勝手がよい。
【０１８７】
また、支持装置２は、管体４が本体３に接続された状態と管体４が本体３との接続から解放された状態とにおいて管体４を保持する。好ましくは、保持体８が管体４を保持する。この際、管体４に吸込具５が接続されていてもいなくても、保持体８は、管体４を保持する。換言すると、支持装置２は、管体４のみを支持することができる。このため、管体４との接続から解放された状態で本体３を使用する際、管体４を支持装置２に保持した状態に維持できる。また、例えば、掃除機１で掃除をしている時に吸込具５を本体３に直接接続した場合は、外した管体４を支持装置２に支持させることができる。その結果、管体４の置き場所に支持装置２以外のスペースを必要とせず、管体４の置き場所に困らない。
【０１８８】
また、保持体８が管体４を保持した状態で、保持体８および管体４の少なくとも一つは、管体４が上方向に移動することを規制する。例えば、管体４は、左側第２規制部４６ａと右側第２規制部４６ｂとを備える。この際、保持体８は、管体４の着脱方向を横方向にして管体４を保持する。管体４と本体３が接続された状態において本体３が上方に移動した場合、左側第２規制部４６ａと右側第２規制部４６ｂとは、管体４の上方向への移動を規制する。その結果、本体３だけが上方向に移動し、本体３は、管体４から取り外される。このため、本体３の移動方向取り外し方向を変えることで、本体３のみの清掃と本体３と管体４を接続した状態での清掃を選択できる。
【０１８９】
また、保持体８は、管体４を保持した状態において管体４が上方に移動した場合に、管体４のラッチ４２ａの位置を変えることで管体４と本体３との接続を解放する。管体４がさらに上方に移動した場合に管体４の上方の移動は規制される。この場合、ラッチ部３８が設けられる場合でも、管体４と本体３とを容易に着脱できる。例えば、使用者がハンドル１０を持った状態で本体３を上方向に移動させれば、管体４が支持装置２に保持された状態において、本体３が支持装置２から取り外される。このため、本体３の移動方向取り外し方向を変えることで、本体３のみでの清掃と本体３と管体４を接続した状態での清掃を選択できる。
【０１９０】
また、ラッチ部３８は、本体３に設けられていてもよい。また、解除部６７は、管体４が支持装置２に設置された状態で、ボタン部４３ａを押した状態であってもよい。換言すると、管体４が支持装置２に設置された状態で、ラッチ４２ａは第２位置に配置された状態であってもよい。換言すると、本体３が接続された管体４が支持装置２に支持されている状態においても、ラッチ４２ａは、第２位置に配置された状態であってもよい。この結果、本体３を上方に移動する際の摩擦および抵抗が少なく、本体３が管体４から外れやすくなり、さらに容易に取外しが可能である。
【０１９１】
また、掃除機１の向きは本実施の形態に限定されない。例えば、掃除機１の後方が掃除機１の前方よりも支持体７に近い位置に配置されてもよい。
【０１９２】
また、図示されない給電手段にプラグを介してバッテリを充電してもよい。例えば、プラグを支持装置２に接続し、端子を介して本体３に接続してもよい。この場合でも、バッテリを充電できる。また、
【０１９３】
なお、本実施の形態においては、集塵部１１は遠心分離を行うサイクロン分離装置を有する例について説明した。しかし、集塵部１１は、含塵空気から塵埃を分離し、分離した塵埃を蓄積するものであれば、塵埃の分離および蓄積方法はこれに限定されない。例えば、遠心分離を実施せずに、フィルタにより、塵埃と空気を分離してもよい。また、いわゆる紙パック式のようなものでもよい。
【０１９４】
なお、吸込用アタッチメントは毛ブラシ２５に限定されない。また、ブロアー用アタッチメントはブロアーノズル２６に限定されない。ブロアー用アタッチメントは排気口２９に接続されるあらゆる形状のものである。例えば、ブロアーノズル２６は吹出方向を変更可能なジョイント部を備えていてもよい。
【０１９５】
なお、吸込口２８と排気口２９が同一形状をしていてもよい。また、ノズル側接続口９１と毛ブラシ側接続口７８が同等形状をしていてもよい。すなわち、吸引用アタッチメントを排気口２９に接続してもよく、ブロアー用アタッチメントを吸込口２８に接続してもよい。すなわち、アタッチメント２４は吸込口２８にも排気口２９にも接続できる兼用のアタッチメント２４であってもよい。例えば、ブロアー用アタッチメントを吸込口２８に接続することで、隙間掃除に優れる。これにより汎用性が拡大する。
【０１９６】
なお、本実施の形態においては、吸込口２８とは異なる位置にある排気口２９にブロアー用アタッチメントを接続する。すなわち、吸込口２８では電動送風機へ向かう吸引風を利用し、排気口２９では電動送風機からの排気風を利用する。しかしながら、風路を切り替えて吸込口２８から電動送風機の排気風が吹き出されてもよい。例えば、本体３は風路の切替構造を有していてもよい。この場合、ブロアー用アタッチメントを吸込口２８に接続することで、ブロアーとして使用できる。また、ブロアー用アタッチメントを吸込用アタッチメントとして使用することも可能である。このため、使い勝手がよい。
【０１９７】
また、吸引用アタッチメントかブロアー用アタッチメントのいずれかのみを備えていてもよい。また、本体３はブロアー用アタッチメントを接続する排気口２９を備えていなくてもよい。また、支持装置２は吸引用アタッチメントを複数支持してもよい。また、支持装置２はブロアー用アタッチメントを複数支持してもよい。
【０１９８】
また上述した実施の形態では、取付部４９を被取付部５７に挿入後、下方向に移動することで、水平方向への移動が規制される例について説明した。しかしながら、取付方法は限定されない。例えば、上方向や横方向に移動してもよい。また、挿入後に回転してもよい。また挿入後に複数の方向に移動してもよい。
【０１９９】
また、被取付部５７の開口に対して斜めに挿入してもよい。例えば「Ｌ」字、「Ｕ」字、「Ｓ」字、「ク」の字のように折れ曲がった、または湾曲した形状であれば、斜めに挿入しやすい。またこの場合、挿入と同時に重力により水平方向への移動がしづらくなるため、落下しにくい。このため、挿入を含め１方向への移動で挿入と水平方向への移動の規制ができる。このため、使い勝手がよい。
【符号の説明】
【０２００】
１  掃除機
２  支持装置
３  本体
６  基体
７  支持体
８  保持体
１０  ハンドル
２４  アタッチメント
２５  毛ブラシ
２６  ブロアーノズル
２７  本体側接続口
４７  アタッチメント側接続口
４８  風路形成部
４９  取付部
５２  支持部
１００  アタッチメント外郭部
【図１】
2019187958.tif 000003
【図２】
2019187958.tif 000004
【図３】
2019187958.tif 000005
【図４】
2019187958.tif 000006
【図５】
2019187958.tif 000007
【図６】
2019187958.tif 000008
【図７】
2019187958.tif 000009
【図８】
2019187958.tif 000010
【図９】
2019187958.tif 000011
【図１０】
2019187958.tif 000012
【図１１】
2019187958.tif 000013
【図１２】
2019187958.tif 000014
【図１３】
2019187958.tif 000015
【図１４】
2019187958.tif 000016
【図１５】
2019187958.tif 000017
【図１６】
2019187958.tif 000018
【図１７】
2019187958.tif 000019
【図１８】
2019187958.tif 000020
【図１９】
2019187958.tif 000021
【図２０】
2019187958.tif 000022
【図２１】
2019187958.tif 000023
【図２２】
2019187958.tif 000024
【図２３】
2019187958.tif 000025
【図２４】
2019187958.tif 000026
【図２５】
2019187958.tif 000027
【図２６】
2019187958.tif 000028
【図２７】
2019187958.tif 000029
【図２８】
2019187958.tif 000030
【図２９】
2019187958.tif 000031
【図３０】
2019187958.tif 000032
【図３１】
2019187958.tif 000033
【図３２】
2019187958.tif 000034
【図３３】
2019187958.tif 000035
【図３４】
2019187958.tif 000036
【図３５】
2019187958.tif 000037
【図３６】
2019187958.tif 000038
【図３７】
2019187958.tif 000039
【図３８】
2019187958.tif 000040
【図３９】
2019187958.tif 000041
【図４０】
2019187958.tif 000042
【図４１】
2019187958.tif 000043
【図４２】
2019187958.tif 000044
【図４３】
2019187958.tif 000045
【図４４】
2019187958.tif 000046